(57)【特許請求の範囲】
【請求項１】
持参した玄米をコインの投入により精米するコイン精米装置であって、
該コイン精米装置は玄米又は白米販売機を備え、該コイン精米装置に設けたコインメックへの投入金額に応じた所定量の玄米又は白米を販売し、
さらに、前記持参した玄米を投入する投入ホッパー内に籾と玄米を識別するセンサを設け、籾が投入されたことを検知すると、通常運転を行わずに当該籾を装置外に設けた貯粒部へロータリバルブで排出することを特徴とするコイン精米装置。
【請求項２】
前記コインの投入額に応じて販売できる玄米又は白米の量をインジケータで表示することを特徴とする請求項１に記載のコイン精米装置。
【発明の詳細な説明】
【０００１】
【発明の属する技術分野】
本発明は、玄米又は白米販売機を備えたコイン精米装置に関するものである。
【０００２】
【従来の技術】
コイン精米装置は、一般に機械室内部に、精米機、搬送昇降機等の機械を設置して構成されており、コインの投入によって客が持参した玄米の精米を行うようになっている。
しかしながら、従来は客が持参した玄米を精米出来ればそれでよかったが、客の要望は最近では非常に多様化してきており、例えば、白米や玄米を直接購入して持ち帰ったり、持参した玄米を精米せずに石抜きのみを行う、あるいは石抜きは行わずに精米のみを行って持ち帰りたい等の要望もある。
従来、コイン精米装置に玄米又は白米の販売機を併設したものは存在したが、あくまでもコイン精米装置と玄米等の販売機とは客が別々に操作しなければならず、操作が煩わしかった。
また、玄米専用の精米装置に、籾が誤って投入されると、故障を生じるおそれがあるだけでなく、搬送装置内に籾が残って他の客の玄米に混入することがある。
【０００３】
【発明が解決しようとする課題】
本発明は、上記従来の問題を解決するためになされたものであって、その目的とするところは、単一のコインメックによりコイン精米と玄米又は白米の購入ができるようにするとともに、装置内に籾が混入しないようにしたコイン精米装置を提供することにある。
【０００４】
【課題を解決するための手段】
かかる目的を達成するために、請求項１の発明は、持参した玄米をコインの投入により精米するコイン精米装置であって、
該コイン精米装置は玄米又は白米販売機を備え、該コイン精米装置に設けたコインメックへの投入金額に応じた所定量の玄米又は白米を販売し、
さらに、前記持参した玄米を投入する投入ホッパー内に籾と玄米を識別するセンサを設け、籾が投入されたことを検知すると、通常運転を行わずに当該籾を装置外に設けた貯粒部へロータリバルブで排出する構成とした。
請求項２の発明は、請求項１において、前記コインの投入額に応じて販売できる玄米又は白米の量をインジケータで表示する構成とした。
【０００５】
【発明の実施の形態】
以下に、図面を参照して本発明の実施の形態について説明する。
図１は本発明のコイン精米装置のコインメックを正面からみた図である。
同図に示すとおり、本発明のコイン精米装置は、そのコインメック１に隣接して玄米又は白米販売機７を備えている。この玄米又は白米販売機７は、コインロッカー型のボックス８を複数段に積み重ね、各ボックス８内に所定量の玄米又は白米９を収容している。
【０００６】
上記コインメック１は、同図に示すように、コイン投入口２、玄米又は白米販売用スイッチ３、石抜き装置を通すスイッチ（以下「石抜きスイッチ」と称する）４、精米スイッチ５、運転開始スイッチ６等を備えている。
コイン投入口２にコインを投入してから、上記玄米又は白米販売用スイッチ３を押すと、玄米又は白米を販売する。具体的には、白米を購入する場合は、白米ボタン３ａを、玄米を購入する場合は、玄米ボタン３ｂをそれぞれ押す。インジケータ３ｃは、投入した金額に応じて購入できる玄米又は白米の量が表示されるので、所望する量を選択して購入できる。このようにコインを投入してから玄米又は白米販売用スイッチ３を操作することによって、玄米又は白米販売機７の各ボックス８の扉８ａが開放され、中にある玄米又は白米９を取出すことが可能になる。
【０００７】
以上は、客が玄米を持ち込まずに白米又は玄米を購入する場合であるが、玄米を持参して精米を行いたい場合は、コインを投入し、精米スイッチ５を押して、その精米の程度（例えば図示した、上白、標準、８ぶの３種類）をスイッチ５ａで選択してから、運転開始スイッチ６を押す。このとき、石抜きスイッチ４を押しておくと、石抜き装置を通してから精米が行われ、石抜きスイッチ４を押さないと、石抜き装置を通さないで精米が行われる。また、石抜きスイッチ４を押して、精米スイッチ５を押さないと、精米を行わずに石抜きのみが行われる。
【０００８】
このように、本発明のコイン精米装置は、玄米又は白米販売機７を備え、該コイン精米装置に設けたコインメック１により、玄米又は白米を玄米又は白米販売機７から購入することが出来る構成とし、単一のコインメックによりコイン精米と玄米又は白米の購入の両方が行えるので操作が簡単である。
【０００９】
図２は本発明に係るコイン精米装置における一連の工程を示している。
客の持参した玄米がホッパー１０内に投入されると、ロータリバルブ１１で繰り出され、昇降機１２により搬送される。そして、搬送されてきた玄米がそのまま昇降機１６に持ち込まれる場合と、石抜き装置１４を通してから昇降機１６に持ち込まれる場合とを、経路途中の切換弁１３によって切換える。昇降機１６に持ち込まれた玄米は昇降機１６で玄米ホッパー１７に投入され、続いて精米機１８に送られる。得られた白米は白米タンク１９に貯留される。発生する糠は糠処理用サイクロン２０にて図示しない糠袋等に収容される。また、上記石抜き装置１４を通してから、昇降機１６に持ち込まれる場合と、精米機１８は通さずにそのまま白米タンク１９に貯留される場合とを、切換弁１５によって切換える。
【００１０】
本発明のコイン精米装置は、前記コインメック１の石抜きスイッチ４と精米スイッチ５のオン・オフにより上記切換弁１３及び１５がそれぞれ切換わる。したがって、以下の６通りの購入パターンに対応した制御が行える。
白米をコインメック１にて購入し、そのまま持ち帰る。
玄米をコインメック１にて購入し、そのまま持ち帰る。
玄米をコインメック１にて購入し、精米装置にて精米して持ち帰る。
持参した玄米をコインメック１にて石抜き装置に通し、精選別のみ行い持ち帰る。
持参した玄米をコインメック１にて石抜き装置を通さないで、精米して持ち帰る。
持参した玄米をコインメック１にて石抜き装置を通し、さらに精米して持ち帰る。
【００１１】
このように、コイン精米装置は内部に石抜き装置１４を備え、コインメック１の石抜き装置４により、客の持参した玄米の石抜きを選択的に行える。そして、客の様々な購入パターンの要望にも対処できる構成である。
【００１２】
図３は図２における投入ホッパーのロータリバルブ付近の拡大断面図である。
コイン精米装置が籾摺機を備えず玄米専用である場合に、誤って籾が投入されると故障を生じるおそれがあるだけでなく、搬送装置内に籾が残って他の客の玄米に混入することがある。
そこで、投入ホッパー１０内に籾と玄米を識別するセンサ２１（図２参照）を設け、投入ホッパー１０下部のロータリバルブ１１底に開閉自在なシャッタ２３を設ける構成とする。籾と玄米を識別するセンサ２１は、例えば光を当ててその透過率の差によって籾と玄米を識別する。
【００１３】
かかる構成において、投入ホッパー１０に張り込まれた穀粒が玄米であれば、シャッタ２３は閉じた状態（図３の実線の位置）で、ロータリバルブ１１により定量繰り出される玄米は前述したようにそのまま昇降機１２に送り込まれ、通常運転が行われる。一方、上記センサ２１によって投入ホッパー１０に籾が投入されたと判別したときは、シャッタ２３が開いた状態（図３の破線の位置）に切換わり、ロータリバルブ１１で繰り出された籾はすべて下方に設けた貯粒部２２へ排出され、昇降機１２側へ持ち込まれることがない。
これにより、玄米専用の精米装置の場合に誤って籾が投入されても手元に戻ってしまい、通常運転はされないので、故障を未然に防止できる。
【００１４】
図４は本発明に係るコイン精米装置の建屋全体を示す斜視図である。
客室入口のドア２４のガラスを、外からは客室内が見えるが、客室からは外が見えない偏光ガラス２５（図５の（ａ）、（ｂ）参照）とする構成にしたもので、これにより、客室からは外の状況を窺い知ることができず、心理的に不安を与えるので、その結果盗難をしにくくさせる効果がある。
【００１５】
【発明の効果】
以上詳細に説明したように、本発明のコイン精米装置によれば、玄米又は白米販売機を備えるとともに、コイン精米装置に設けたコインメックにより、上記玄米又は白米販売機から玄米又は白米を購入することが出来る構成としたので、単一のコインメックによりコイン精米と玄米又は白米の販売ができ、操作が簡単に行える。また、持参した玄米を投入する投入ホッパー内に籾と玄米を識別するセンサを設け、籾が投入されたことを検知すると、当該籾を装置外に排出することにより、玄米専用の精米装置に誤って籾が投入されても通常運転はされないので、故障を未然に防止できる。
また、本発明のコイン精米装置は、コインの投入額に応じて販売できる玄米又は白米の量をインジケータで表示するので、所望する量を選択して購入できる。
【図面の簡単な説明】
【図１】本発明のコイン精米装置のコインメックを正面からみた図である。
【図２】本発明に係るコイン精米装置における一連の工程を示す構成図である。
【図３】図２における投入ホッパーのロータリバルブ付近の拡大断面図である。
【図４】本発明に係るコイン精米装置の建屋全体を示す斜視図である。
【図５】偏光ガラスの機能を説明するための図で、（ａ）は外からは内が見え、（ｂ）は内からは外が見えない状態をそれぞれ示している。
【符号の説明】
１ コインメック
３ 玄米又は白米販売用スイッチ
４ 石抜きスイッチ
５ 精米スイッチ
６ 運転スイッチ
７ 玄米又は白米販売機
１０ 投入ホッパー
１４ 石抜き装置
１８ 精米機
１９ 白米タンク
【図１】
0003770065.tif 000002
【図２】
0003770065.tif 000003
【図３】
0003770065.tif 000004
【図４】
0003770065.tif 000005
【図５】
0003770065.tif 000006